(57)【要約】【課題】容易に移動可能で低廉なベッド下用収納庫を提供する。【解決手段】ベッド下用収納庫２０はベッド１０の下方空間に出入り自在の枠体２１と、枠体２１に出入り自在に収納された引出し３０と、枠体２１をベッド１０の下方空間に位置規制するストッパ４０とを備えており、ストッパ４０はベッド１０の枠部材１４に下方から進退自在に遊嵌するベッド側ブラケット４１と、ベッド側ブラケット４１に固定され枠体２１の上面に配された係合凹部２４に落ち込んで係合する枠体側ブラケット４３とを備えており、ブラケット４１、４３にはベッド１０の桟部材１５を逃げる切欠部４２、４４が形成されている。【効果】ストッパを持ち上げて枠体側ブラケットの下端部を係合凹部から抜けばベッド下用収納庫をベッドの下方空間から搬出できるので、ベッドの下方空間の清掃が簡単になる。ストッパは構造が簡単であるので、廉価である。【選択図】      図３
2004261454.tif 000002
【特許請求の範囲】
【請求項１】
ベッドの下方空間に出入り自在の枠体と、この枠体に出入り自在に収納された引出しと、前記ベッドの枠部材に下方から進退自在に遊嵌し前記枠体の上面に配された係合凹部に落ち込んで係合するストッパと、を備えていることを特徴とするベッド下用収納庫。
【請求項２】
前記ストッパが前記枠部材に遊嵌するベッド側ブラケットと、このベッド側ブラケットに固定され前記係合凹部に係合する枠体側ブラケットとを備えていることを特徴とする請求項１に記載のベッド下用収納庫。
【請求項３】
前記ストッパが前記ベッドの桟部材を逃げる切欠部を備えていることを特徴とする請求項１または２に記載のベッド下用収納庫。
【発明の詳細な説明】
【０００１】
【発明の属する技術分野】
本発明は、ベッド下用収納庫に関し、特に、既存または既設のベッドの下に設置するのに好適なものに関する。
【０００２】
【従来の技術】
既存または既設のベッドの下に設置されるベッド下用収納庫としては、例えば、特許文献１に開示されたベッド用収納設備、がある。このベッド用収納設備は、ベッドのフレームにはその下面から略棒状または筒状の支持体が着脱自在に垂下されており、ベッドの下面には前面が開口した平面矩形状に形成され下端に高さ調節用のアジャスタが設けられた枠体が配置されるとともに、枠体の立壁の側面に設けられた被支持体が支持体と遊挿嵌合され、枠体の開口部には有底箱形状の抽出体が出入自在に挿装されているもの、である。
【０００３】
【特許文献１】
特許第３３５２３７５号公報
【０００４】
【発明が解決しようとする課題】
しかしながら、前記したベッド用収納設備においては、ベッドの桟フレームに垂下された支持体がボルト等の緊締によるクランプ金具にて固定された状態になるとともに、枠体がアジャスタによってベッドの下の床面に据え付けられた状態になることにより、枠体の移動が困難であるために、例えば、ベッドの下の床面を掃除し難いという問題点がある。また、枠体をベッドのフレームに位置決めするための支持体と被支持体との遊挿嵌合の構造が複雑になるために、ベッド用収納設備の製造コストが大きくなるばかりでなく、枠体の移動の妨げにもなるという問題点がある。
【０００５】
本発明の目的は、通常はベッドの下に簡単に位置決めすることができるとともに、清掃等の必要のある場合は容易に移動させることができ、しかも、低廉なベッド下用収納庫を提供することにある。
【０００６】
【課題を解決するための手段】
課題を解決するためのベッド下用収納庫は、ベッドの下方空間に出入り自在の枠体と、この枠体に出入り自在に収納された引出しと、前記ベッドの枠部材に下方から進退自在に遊嵌し前記枠体の上面に配された係合凹部に落ち込んで係合するストッパと、を備えていることを特徴とする。
【０００７】
ベッドの下方空間の清掃時等において、ベッド下用収納庫をベッドの下方空間から搬出する際には、操作者は片方の手でストッパを押し上げて枠部材に対して上方に摺動させることによってストッパの下端部を係合凹部から抜き出した後に、他方の手で枠体を引けば、ベッド下用収納庫をベッドの下方空間から搬出することができる。
【０００８】
【発明の実施の形態】
以下、本発明の一実施の形態を図面に即して説明する。
【０００９】
本実施の形態において、図１および図２に示されているように、本発明に係るベッド下用収納庫はベッド１０の下に設置されるように構成されている。図１および図２に示されているように、ベッド１０のフレーム１１は金属製の丸パイプからなる四本の脚部材１２を備えており、四本の脚部材１２は長方形の四隅に配置されている。長方形の一対の短辺に位置した脚部材１２、１２間のそれぞれには短い金属製の角パイプからなる短手側枠部材１３、１３が架設されており、一対の長辺に位置した脚部材１２、１２間のそれぞれには長い金属製の角パイプからなる長手側枠部材１４、１４が架設されている。一対の長手側枠部材１４、１４間には金属製の角パイプからなる桟部材１５が五本、長手方向に等間隔に配されて架設されている。図２に示されているように、五本の桟部材１５の上には金網からなるネット１６が敷設され、そのネット１６の上にはマットレス（図示せず）が敷設されるようになっている。本実施の形態においては、三台のベッド下用収納庫２０が短手側枠部材１３、１３、長手側枠部材１４、１４および五本の桟部材１５が構成した長方形の平面の下方空間に横並びに設置されている。三台のベッド下用収納庫２０は同一に構成されているので、その構成は一台のベッド下用収納庫２０について説明する。
【００１０】
図１〜図５に示されているように、ベッド下用収納庫２０は下面および前面がそれぞれ開口した箱形状に形成された枠体２１と、枠体２１に進退自在に嵌入される引出し３０と、枠体２１をベッド１０に固定するストッパ４０とを備えている。枠体２１の横幅はベッド１０の長手方向の長さの三分の一よりも小さめに設定されており、枠体２１の奥行はベッド１０の短手方向の長さよりも小さく設定されている。枠体２１の下面の四隅にはキャスタ２２がそれぞれ取り付けられており、この四個のキャスタ２２を床面で転がして枠体２１を走行させることにより、枠体２１はベッド下用収納庫２０の下方空間に対して容易に出し入れし得るように構成されている。枠体２１のキャスタ２２を含めた全高は、ベッド１０の長手側枠部材１４や桟部材１５が撓んで下降しても枠体２１の上面が干渉することのない隙間を確保し得るように設定されている。枠体２１の上面壁における前端部の中央には、左右方向に細長い長方形の穴形状に形成された把手２３が配設されており、把手２３の後側にはストッパ４０と係合する係合凹部２４が配設されている。図６に示されているように、係合凹部２４は長方形の皿形状にプレス加工された受け具２６が枠体２１の上面壁に左右方向に細長く開設された長方形の取付孔２５の開口縁辺部に下から当てがわれた後に溶接によって固定されて構成されている。枠体２１の左右の側壁の内面には、引出し３０の進退を案内する左右で一対のガイドレール２７、２７が前後方向に延在するようにそれぞれ敷設されており、両ガイドレール２７、２７の前端部の内面には、引出し３０の側面に摺接する滑り部片２８がそれぞれ突設されている。枠体２１の左右側壁の内面における前端部には、引出し３０を枠体２１に保持させるラッチ３４と係合される係合筒２９がそれぞれ固定されている。
【００１１】
引出し３０は上面が開口した箱形状に形成されており、引出し３０の大きさは枠体２１の内部に出し入れ可能に収納される大きさに設定されている。引出し３０の下面における前端部には左右で一対のキャスタ３１、３１が装備されており、引出し３０の左右の側面における後端部には枠体２１の左右のガイドレール２７、２７の上を転動する左右で一対のガイドローラ３２、３２が装備されている。これらキャスタ３１、３１およびガイドローラ３２、３２により、引出し３０は枠体２１に対して水平かつスムーズに出し入れし得るようになっている。引出し３０の前面には把手３３が配設されており、把手３３には引出し３０の左右の側面に装備されたラッチ３４を回動させるレバー（図示せず）が組み込まれている。ラッチ３４は引出し３０が枠体２１に格納された状態において枠体２１の係合筒２９に係合するように構成されており、引出し３０が枠体２１から引き出される際に、把手３３のレバーが把持されると、ラッチ３４は係合筒２９との係合を自動的に解除するように構成されている。引出し３０の前面における把手３３の下側には名札入れ３５が配設されている。
【００１２】
ストッパ４０は互いに左右方向の長さが等しいベッド側ブラケット４１と枠体側ブラケット４３とを備えている。ベッド側ブラケット４１は溝（チャンネル）形鋼形状に形成されており、その溝の幅はベッド１０の長手側枠部材１４の短手方向の幅よりも若干大きめに設定されており、溝の深さは長手側枠部材１４の上下方向の高さと略等しく設定されている。つまり、ベッド側ブラケット４１は長手側枠部材１４に下方から進退自在に遊嵌し得るように構成されている。ベッド側ブラケット４１の一対の立ち上がり壁のうち一方における中央部には、ベッド１０の桟部材１５を逃げるための切欠部４２が垂直方向に開設されており、切欠部４２の開口幅は桟部材１５の短手方向の幅よりも大きめに設定されている。枠体側ブラケット４３は内側鍔部を有する溝形鋼形状に形成されており、枠体側ブラケット４３の前後方向の寸法は枠体２１の係合凹部２４の短手方向の幅よりも若干だけ小さめに設定されており、枠体側ブラケット４３の左右方向の寸法は係合凹部２４の長手方向の寸法（長さ）よりも小さめに設定されている。つまり、枠体側ブラケット４３は係合凹部２４に落ち込んで係合し得るように構成されている。枠体側ブラケット４３の開口と反対側の壁面がベッド側ブラケット４１の切欠部４２側の壁面に溶着されることにより、枠体側ブラケット４３はベッド側ブラケット４１に固定されており、固定された枠体側ブラケット４３の下端部はベッド側ブラケット４１の下面から垂直に突出した状態になっている。なお、枠体側ブラケット４３の切欠部４２に対向する部位にも、切欠部４４がベッド１０の桟部材を逃げるように開設されている。そして、ストッパ４０の全高（ベッド側ブラケット４１の上面から枠体側ブラケット４３の下面までの寸法）、ベッド側ブラケット４１の溝の深さ、枠体側ブラケット４３の全高および枠体側ブラケット４３の下端部のベッド側ブラケット４１からの突出量等は、枠体側ブラケット４３の下端部が枠体２１の係合凹部２４に落ち込んで係合した状態において、ベッド側ブラケット４１がベッド１０の長手側枠部材１４の下端部に枠体側ブラケット４３の係合凹部２４との係合代よりも大きな摺動長さの余裕をもって遊嵌するように設定されている。
【００１３】
次に、前記構成に係るベッド下用収納庫２０をベッド１０の下方空間に設置する方法を説明する。
【００１４】
図１および図２に示されているように、引出し３０が格納された枠体２１がベッド１０におけるベッド下用収納庫２０を設置したい場所の下方空間に、キャスタ２２および３１によって走行されて搬入される。続いて、ベッド１０の長手側枠部材１４における搬入された枠体２１の係合凹部２４に対向する位置にストッパ４０のベッド側ブラケット４１が下方から遊嵌され、ストッパ４０の枠体側ブラケット４３の下端部が係合凹部２４に落とし込まれる。すなわち、図６に示されているように、操作者がストッパ４０を把持してベッド側ブラケット４１を長手側枠部材１４の下端部に下方から遊嵌させた後に、枠体２１の係合凹部２４を枠体側ブラケット４３の真下に位置させた状態で、ストッパ４０から手を離すと、ストッパ４０は自重で下降するために、枠体側ブラケット４３の下端部は係合凹部２４に落ち込んで係合した状態になる。この状態において、ベッド側ブラケット４１が長手側枠部材１４に適度な遊びをもって嵌合するとともに、枠体側ブラケット４３が係合凹部２４に係合しているので、枠体２１は長手側枠部材１４にストッパ４０によって前後左右の位置が規制された状態になる。
【００１５】
ベッド１０の下方空間の清掃時等において、ベッド下用収納庫２０をベッド１０の下方空間から搬出する際には、図６（ｃ）に示されているように、操作者は片方の手でストッパ４０のベッド側ブラケット４１の下面を押し上げて、ベッド側ブラケット４１を長手側枠部材１４に対して上方に摺動させることにより、枠体側ブラケット４３の下端部を係合凹部２４から抜き出した後に、他方の手を枠体２１の把手２３に掛けて枠体２１をベッド１０の下方空間から搬出すればよい。なお、ベッド側ブラケット４１の溝底にマグネット（図示せず）を固定しておくと、マグネットが長手側枠部材１４の下面に磁着するので、操作者が手を離してもストッパ４０が長手側枠部材１４から落下するのを防止することができる。
【００１６】
日常生活においてベッド下用収納庫２０の引出し３０を使用するに際しては、手で引出し３０の把手３３を把持すると、ラッチ３４が係合筒２９との係合を解除するので、引出し３０は枠体２１から引き出すことができる。引出し３０が枠体２１に格納されると、ラッチ３４が係合筒２９に自動的に係合するために、引出し３０は枠体２１に自動的に保持された状態になる。この引出し３０の枠体２１に対する出し入れ操作に際しては、枠体２１がベッド１０の長手側枠部材１４にストッパ４０によって位置規制されているために、引出し３０の出し入れ操作に追従して、枠体２１がベッド１０に対して移動してしまうことはない。
【００１７】
また、人がベッド１０に寝た際にベッド１０の長手側枠部材１４や桟部材１５が撓んで下降しても、枠体側ブラケット４３の下端が枠体２１の係合凹部２４の底面に突き当たったストッパ４０は、ベッド側ブラケット４１が長手側枠部材１４の下端部に隙間をもって摺動自在に遊嵌しているために、長手側枠部材１４の下降分をベッド側ブラケット４１と長手側枠部材１４との間の摺動によって吸収することができる。したがって、ストッパ４０がベッド１０の寝心地を損なうことはないし、ベッド１０の撓みがベッド下用収納庫２０を損傷することもない。
【００１８】
前記実施の形態によれば、次の効果が得られる。
【００１９】
１）  ストッパの枠体との係合を解除させることにより、ベッド下用収納庫をベッドの下方空間から容易に搬出することができるので、ベッドの下方空間を容易に清掃することができる。
【００２０】
２）  枠体をベッドにストッパによって位置規制することにより、引出しの枠体からの出し入れ操作に際して枠体が動くのを防止することができるので、ベッド下用収納庫の日常生活における使用の利便性を高めることができる。
３）  ベッド下用収納庫をベッドに固定させるためのストッパをベッドの枠部材に遊嵌させるだけで済む構造に構成することにより、ベッド側を改造しないで済むので、既存または既設のベッドであってもベッド下用収納庫を簡単に設置することができる。
【００２１】
４）  ストッパをベッドの枠部材に下方から進退自在に遊嵌し枠体の係合凹部に自重で落ち込んで係合する構造に構成することにより、スプリングのようなストッパを付勢する部品を省略することができるので、ベッド下用収納庫をベッドに固定させるためのストッパの構造をきわめて簡単化することができる。
【００２２】
５）  前記３）や４）により、ベッド下用収納庫の製造コストを低減することができ、また、機構部の省略によって故障の発生を防止することができる。
【００２３】
６）  枠部材に遊嵌するベッド側ブラケットと、このベッド側ブラケットに固定されて枠体の係合凹部に係合する枠体側ブラケットとによってストッパを構成することにより、ストッパを一体的に構成する場合に比べてストッパの製造コストを低減することができるので、ベッド下用収納庫の製造コストをより一層低減することができる。
【００２４】
７）  また、ベッド側ブラケットの背面に枠体側ブラケットを固定することにより、ベッド側ブラケットの底面側が露出して手指で把持し易くなるので、ストッパの枠体に対する係合操作性および解除操作性を高めることができる。
【００２５】
８）  ストッパにベッドの桟部材を逃げる切欠部を設けることにより、ストッパを枠部材の桟部材が有る位置にも配設することができるので、ベッド下用収納庫をベッドの任意の位置に設置することができる。
【００２６】
なお、本発明は前記実施の形態に限定されるものではなく、その要旨を逸脱しない範囲で種々に変更が可能であることはいうまでもない。
【００２７】
例えば、ストッパはベッド側ブラケットと枠体側ブラケットとを固定して構成するに限らず、金属や樹脂を使用した塑性加工（ｐｌａｓｔｉｃ  ｗｏｒｋｉｎｇ）や、造型法（ｍｏｌｄｉｎｇ  ｍｅｔｈｏｄ）によって一体的に構成してもよい。
【００２８】
枠体は下面（底壁）が開口した箱形状に構成するに限らず、底面を有する箱形状に形成してもよい。
【００２９】
ベッド下用収納庫はベッドの長手側枠部材の長さ方向に横並びに設置するに限らず、短手側枠部材に設置してもよい。
【００３０】
【発明の効果】
以上説明したように、本発明によれば、通常はベッドの下に簡単に位置決めすることができるとともに、清掃等の必要がある場合は容易に移動させることができ、しかも、低廉なベッド下用収納庫を提供することができる。
【図面の簡単な説明】
【図１】本発明の一実施の形態であるベッド下用収納庫のベッドへの設置状態を示す斜視図である。
【図２】その側面図である。
【図３】本発明の一実施の形態であるベッド下用収納庫を示す分解斜視図である。
【図４】本発明の一実施の形態であるベッド下用収納庫を示しており、（ａ）は一部省略平面図、（ｂ）は正面図である。
【図５】その側面図である。
【図６】（ａ）は図５のａ部の断面図、（ｂ）は（ａ）のｂ−ｂ線に沿う断面図、（ｃ）はストッパ解除時を示す断面図である。
【符号の説明】
１０…ベッド、１１…フレーム、１２…脚部材、１３…短手側枠部材、１４…長手側枠部材、１５…桟部材、１６…ネット、２０…ベッド下用収納庫、２１…枠体、２２…キャスタ、２３…把手、２４…係合凹部、２５…取付孔、２６…受け具、２７…ガイドレール、２８…滑り部片、２９…係合筒、３０…引出し、３１…キャスタ、３２…ガイドローラ、３３…把手、３４…ラッチ、３５…名札入れ、４０…ストッパ、４１…ベッド側ブラケット、４２…切欠部、４３…枠体側ブラケット、４４…切欠部。
【図１】
2004261454.tif 000003
【図２】
2004261454.tif 000004
【図３】
2004261454.tif 000005
【図４】
2004261454.tif 000006
【図５】
2004261454.tif 000007
【図６】
2004261454.tif 000008